【誤訳訂正書】
【提出日】平成28年4月4日(2016.4.4)
【誤訳訂正１】
【訂正対象書類名】特許請求の範囲
【訂正対象項目名】全文
【訂正方法】変更
【訂正の内容】
【特許請求の範囲】
【請求項１】
燃焼タービンエンジンの作動中に該燃焼タービンエンジンのタービンロータブレードの欠陥を検出するシステムであって、
絶縁皮膜を含むタービンロータブレードと、
前記タービンロータブレードに電気的に接続された第１の電極と、
前記タービンロータブレードに近接した第２の電極と、
第１の電極と第２の電極の間に電圧を印加する手段と、
第１の電極と第２の電極の間に流れる電流を検出する手段と
を備える、システム。
【請求項２】
第１の電極が、前記タービンロータブレードが取り付けられたロータホイールに接続され、第１の電極と前記ロータホイールとの接続が、ａ）回転部品とのスリップリング接続及びｂ）非回転軸受面との接続のうちの一方を含んでおり、第２の電極がタービンケーシングに接続される、請求項１記載のシステム。
【請求項３】
第２の電極が、前記タービンロータブレードが属するタービンブレード列の直ぐ下流の静止構造体に接続されており、第２の電極が、前記燃焼タービンエンジンの高温ガス流路に露出されており、前記絶縁皮膜が遮熱コーティングを含む、請求項１又は請求項２記載のシステム。
【請求項４】
コントロールユニットを更に備えていて、前記コントロールユニットが、第１の電極と第２の電極の間に所定レベルの電圧を印加するように構成された電圧源を含んでおり、前記コントロールユニットが、第１の電極と第２の電極の間に流れる電流を検出するように構成された電流計を含む、請求項１乃至請求項３のいずれか１項記載のシステム。
【請求項５】
前記コントロールユニットが、第１の電極と第２の電極の間に流れる所定レベルの電流を検出するように構成された電流計を含んでおり、前記コントロールユニットが、第１の電極と第２の電極の間の検出された電流レベルが閾値電流レベルを超えるか否かを判定するように構成される、請求項４記載のシステム。
【請求項６】
第１の電極、第２の電極及び前記コントロールユニットが、前記タービンロータブレードの表面上の前記絶縁皮膜の被覆範囲が所望レベルにあるときは、第１の電極と第２の電極の間に印加される所定電圧レベルでは、第１の電極と第２の電極の間で検出される電流レベルが閾値電流レベルを超えないように構成される、請求項５記載のシステム。
【請求項７】
第１の電極、第２の電極及び前記コントロールユニットが、
第１の作動条件では、第１の電極と第２の電極の間で検出された電流レベルが前記閾値電流レベルを超えず、
第２の作動条件では、第１の電極と第２の電極の間で検出された電流レベルが前記閾値電流レベルを超える
ように構成されており、第２の作動条件が、前記絶縁皮膜に欠陥が存在する作動条件を含む、請求項５記載のシステム。
【請求項８】
前記欠陥が、前記タービンロータブレード上に所定サイズの露出領域を含んでいて、その露出領域が前記絶縁皮膜で実質的に被覆されていない領域を含んでおり、前記所定サイズの露出領域が、前記所定電圧レベルで検出される電流レベルが前記閾値電流レベルを超えるときの露出領域に相当する、請求項７記載のシステム。
【請求項９】
前記欠陥が、絶縁皮膜の剥離及び前記タービンロータブレード内の亀裂形成のうちの１つを含む、請求項７記載のシステム。
【請求項１０】
第１の作動条件が、前記燃焼タービンエンジンの高温ガス流路に曝される前記タービンロータブレードの表面の所望の部分が前記絶縁皮膜で被覆される作動条件を含んでおり、前記コントロールユニットが、第２の作動条件が生じたときに警告通知を出すように構成される、請求項７記載のシステム。
【請求項１１】
前記絶縁皮膜が、前記タービンロータブレードの導電率よりも小さい導電率を有し、前記絶縁皮膜が、前記タービンロータブレードと第２の電極との間における作動中の前記高温ガス流路の近似導電率よりも小さい導電率を有し、前記所望の部分が前記燃焼タービンエンジンの高温ガス流路に曝される前記タービンロータブレードの表面領域の実質的に全てを含む、請求項１０記載のシステム。
【請求項１２】
作動中の前記燃焼タービンエンジンの高温ガス流路が導電性ドープ剤を含んでおり、該導電性ドープ剤が、所定試験間隔で前記高温ガス流路内に噴射される、請求項１記載のシステム。
【請求項１３】
燃焼タービンエンジンの作動中に該燃焼タービンエンジンのタービンロータブレードの欠陥を検出する方法であって、
前記タービンロータブレードに電気的に接続された第１の電極を用意するステップと、
前記タービンロータブレードに近接した第２の電極を用意するステップと、
第１の電極と第２の電極の間に電圧を印加するステップと、
第１の電極と第２の電極の間に流れる電流を検出するステップと
を含む、方法。
【請求項１４】
前記タービンロータブレードを絶縁皮膜で被覆するステップを更に含み、前記絶縁皮膜が、前記タービンロータブレードの導電率よりも小さい導電率を有し、前記絶縁皮膜が、前記燃焼タービンエンジンの作動中の前記タービンロータブレードと第２の電極との間における前記高温ガス流路の近似導電率よりも小さい導電率を有する、請求項１３記載の方法。
【請求項１５】
第２の電極が、前記タービンロータブレードが属するタービンブレード列の直ぐ下流の静止構造体に接続されており、第２の電極が、前記燃焼タービンエンジンの作動中に前記高温ガス流路の燃焼ガスに曝されるように配置される、請求項１４記載の方法。
【請求項１６】
第１の電極と第２の電極の間に流れる電流レベルを検出するステップと、
前記検出された電流レベルが閾値電流レベルを超えるか否かを判定するステップと
を更に含む、請求項１４記載の方法。
【請求項１７】
前記閾値電流レベルが、検出された電流レベルがそれを上回ると前記絶縁皮膜の欠陥によって引き起こされる高い確率を有する閾値に相当する、請求項１６記載の方法。
【請求項１８】
前記欠陥が、前記タービンロータブレード上の所定サイズの露出領域を含んでおり、前記露出領域が前記絶縁皮膜によって実質的に被覆されていない領域を含んでおり、前記所定サイズの露出した領域が、前記所定電圧レベルで検出された電流レベルが前記閾値電流レベルを超えるサイズに相当する、請求項１７記載の方法。
【請求項１９】
前記閾値レベルを超えない検出電流レベルは、前記高温ガス流路の燃焼ガスに曝されるはずの前記タービンロータブレードの表面領域の所望の部分が前記絶縁皮膜によって依然として被覆されているときに生じる電流レベルに相当し、前記方法が、
前記検出された電流レベルが前記閾値電流レベルを超えたときに警告通知を出すステップを更に含む、請求項１７記載の方法。
【請求項２０】
前記高温ガス流路内で前記タービンロータブレードの上流側にある位置で導電性ドープ剤を前記高温ガス流路内に噴射するステップを更に含む、請求項１３記載の方法。
【請求項２１】
前記導電性ドープ剤が、前記燃焼タービンエンジンの作動中に前記高温ガス流路を通って流れる前記燃焼ガスの導電率を高めるように構成される、請求項２０記載の方法。
【請求項２２】
前記導電性ドープ剤が、所望の試験スケジュールに対応する噴射周期で定期的に噴射される、請求項２１記載の方法。
【誤訳訂正２】
【訂正対象書類名】明細書
【訂正対象項目名】全文
【訂正方法】変更
【訂正の内容】
【発明の詳細な説明】
【発明の名称】燃焼タービンエンジンのロータブレードで材料欠陥を検出する方法、システム及び装置
【技術分野】
【０００１】
本出願は、全体的に、工業生産プロセス、エンジンなどのシステムで生じる可能性のある欠陥（表面欠陥を含む）を検出する方法、システム、及び装置に関する。より具体的には、限定ではないが、本出願は、燃焼タービンエンジンの高温ガス経路に曝される、タービンロータブレードのような部品上で形成される欠陥の検出に関連する方法、システム及び装置に関する。
【背景技術】
【０００２】
作動時には、一般に、燃焼タービンエンジンは、圧縮機から供給される圧縮空気と共に燃料を燃焼させることができる。本明細書で使用する場合、特に別途記載のない限り、燃焼タービンエンジンとは、ガスタービンエンジン、航空機エンジンなどを始めとするあらゆるタイプのタービン又は回転燃焼エンジンを含むことを意味する。得られる高温ガスの流れは、一般的には作動流体と呼ばれ、エンジンのタービンセクションを通って膨張する。作動流体とタービンセクションのロータブレードとの相互作用によって、タービンシャフトの回転が誘起される。このようにして、燃料中に含まれるエネルギーは回転シャフトの機械エネルギーに変換され、例えば、この機械エネルギーを用いて圧縮機のロータブレードを回転させて、燃焼に必要とされる圧縮空気を供給し、また、発電機のコイルを回転させて電力を発生させることができる。作動中、高温ガス経路に曝される部品は、過度の機械的及び熱的負荷によって高応力が加わることは理解されるであろう。これは、作動流体の過酷な温度及び速度、並びにタービンの回転速度に起因する。燃焼温度が高いほど熱機関の効率が高くなるので、科学技術では、これらの用途に使用される材料の限界に常に挑戦し続けている。
【０００３】
過度の温度、機械的負荷、又はこれらの組み合わせの何れに起因するかによらず、部品の故障は、依然として燃焼タービンエンジンにおける大きな関心事である。故障の大部分の原因を辿ると材料疲労に端を発する場合が多く、通常は、亀裂進展の開始により事前に警報される。より具体的には、材料疲労によって生じる亀裂の形成は、部品が有効寿命の限界に達したことの１次徴候であり、故障に陥ろうとしている可能性が高い。これは、タービンロータブレードなどの回転部品に特に当てはまる。その結果、亀裂形成を検出できることが、特に、タービンロータブレードのような単一の部品の故障が引き起こす重大損傷を考慮すると依然として重要な産業上の目的である。このような故障事象は、下流側のシステム及び部品を破壊する連鎖反応を引き起こし、高価な補修及び長期にわたる作動停止が必要となる。
【０００４】
高温ガス経路部品の有効寿命を延ばすことができる１つの手法は、遮熱コーティングのような保護皮膜を利用することである。一般に、露出表面はこれらの皮膜で被覆され、該皮膜が高温ガス経路の最も過酷な温度から部品を遮蔽する。しかしながら、当業者であれば理解されるように、これらのタイプの皮膜は、使用中に摩耗又は分断され、これは通常「皮膜剥離」又は「剥離」と呼ばれるプロセスである。剥離は、影響を受ける部品の表面上の離散領域又はパッチにおいて非被覆又は露出領域の形成及び成長を生じる可能性がある。これらの非保護領域は高温を受け、従って、疲労亀裂及び他の欠陥の早期形成を始めとする、より急激な劣化を生じやすい。燃焼タービンエンジンにおいて、皮膜剥離は、タービンロータブレード及びトランジションピースのような燃焼器内の部品において特に懸念される事項である。皮膜剥離を早期に検出することにより、増大した熱歪みによって部品が完全に損傷してしまう前にオペレータが修正措置をとることができる。
【０００５】
燃焼タービンエンジンのオペレータは、作動中に故障する危険のある摩滅又は損傷部品の使用を避けなければならないが、有効寿命の尽きるまでは部品を早期に交換しないという相反した関心を持っている。すなわち、オペレータは、各部品の有効寿命を使い果たし、これにより部品交換を行うためのエンジン停止の頻度を低減しながら、部品コストを最小限にしようとする。従って、エンジン部品における正確な亀裂及び／又は皮膜剥離を検出することは、産業上有意に必要なことである。しかしながら、従来の方法は、一般に、部品の定期的な目視検査を必要とする。目視検査は、有用ではあるが、時間がかかると同時に、長い時間期間にわたってエンジンをシャットダウンする必要がある。
【０００６】
エンジンを作動しながら亀裂の形成及び保護皮膜の剥離に関して高温ガス中の部品を監視できることが長く求め続けられてきた。必要とされているのは、エンジンを作動しながら亀裂形成及び剥離を監視し、故障が起こる前又は重大な部品の損傷がもたらされる前に必要な措置をとることができるシステムである。このようなシステムはまた、予想ではなく実際に測定された摩耗に基づいて部品交換の必要性を判断できるので、部品の寿命を延ばすこともできる。加えて、このようなシステムは、目視検査のようなエンジンシャットダウンを必要とする評価の必要性又は実施頻度を低減する。これらの目標を経済的な手法で達成できる限り、効率が向上し産業上の需要も高まる。
【先行技術文献】
【特許文献】
【０００７】
【特許文献１】米国特許第７１２３０３１号明細書
【発明の概要】
【０００８】
そこで、本発明は、エンジンの作動中に燃焼タービンエンジンのタービンロータブレードの欠陥を検出するためのシステムに関する。一実施形態では、本システムは、絶縁皮膜を含むタービンロータブレードと、タービンロータブレードに電気的に接続された第１の電極と、タービンロータブレードに近接した第２の電極と、第１の電極と第２の電極の間に電圧を印加する手段と、第１の電極と第２の電極の間に流れる電流を検出する手段とを含む。
【０００９】
本発明は更に、燃焼タービンエンジンの作動中に該燃焼タービンエンジンのタービンロータブレードの欠陥を検出するための方法に関する。一実施形態では、本方法は、タービンロータブレードに電気的に接続された第１の電極を用意するステップと、タービンロータブレードに近接した第２の電極を用意するステップと、第１の電極と第２の電極の間に電圧を印加するステップと、第１の電極と第２の電極の間に流れる電流を検出するステップとを含む。
【００１０】
本出願の上記その他の特徴は、図面及び請求項を参照しながら以下の好ましい実施形態の詳細な説明を精査することによって明らかになるであろう。
【００１１】
本発明の上記その他の特徴は、添付図面を参照しながら、本発明の例示的な実施形態の以下の詳細な説明を詳細に検討することによって完全に理解され認識されるであろう。
【図面の簡単な説明】
【００１２】
【図１】本出願の実施形態を用いることができる例示的な燃焼タービンエンジンの概略図。
【図２】図１のガスタービンエンジンで用いることができる例示的な圧縮機の断面図。
【図３】図１の燃焼タービンエンジンで用いることができる例示的なタービンの断面図。
【図４】本出願の例示的な実施形態による例示的なタービン及びシステムの断面図。
【図５】本出願の例示的な実施形態による、材料欠陥を監視するための例示的なタービン及びシステムの断面図。
【発明を実施するための形態】
【００１３】
ここで図面を参照すると、図１は、本発明の実施形態を利用することができる燃焼又はガスタービンエンジン１００の概略図である。一般に、ガスタービンエンジンは、圧縮空気の流れの中での燃料の燃焼によって生じる高温ガスの加圧流からエネルギーを抽出することにより作動する。図１に示すように、ガスタービンエンジン１００は、共通のシャフト又はロータで下流側タービンセクション又はタービン１１０に機械的に結合される軸流圧縮機１０６、及び燃焼システム１１２を備えるものとして構成することができ、該燃焼システム１１２は、図示のように、圧縮機１０６とタービン１１０との間に配置される缶型燃焼器である。
【００１４】
図２は、ガスタービンエンジン１００で用いることができる軸流圧縮機１０６の図を示す。図示のように、圧縮機１０６は複数の段を含むことができる。各段は、圧縮機ロータブレード１２０の列と、それに続く圧縮機ステータブレード１２２の列とを含むことができる。すなわち、第１の段は、中央シャフトの周りを回転する圧縮機ロータブレード１２０の列と、それに続いて、作動中に静止したままの圧縮機ステータブレード１２２の列とを含むことができる。圧縮機ステータブレード１２２は、全体的に、互いに円周方向に間隔を置いて配置され、回転軸の周りに固定される。圧縮機ロータブレード１２０は、ロータの軸線の周りに円周方向に間隔を置いて配置され、作動中にシャフトの周りを回転する。当業者には理解されるように、圧縮機ロータブレード１２０は、シャフトの周りを回転するときに圧縮機１０６内を流れる空気又は作動流体に運動エネルギーを与えるように構成される。当業者には理解されるように、圧縮機１０６は、図２に示す段を上回る他の多くの段を有していてもよい。付加的な段の各々は、複数の円周方向に間隔を置いて配置された圧縮機ロータブレード１２０と、それに続いて複数の円周方向に間隔を置いて配置された圧縮機ステータブレード１２２とを含むことができる。
【００１５】
図３は、ガスタービンエンジン１００で使用することができる例示的なタービンセクション又はタービン１１０の部分図を示す。タービン１１０は複数の段を含むことができる。３つの例示的な段が示してあるが、これよりも多い又は少ない段をタービン１１０に設けてもよい。第１の段は、作動中にシャフトの周りを回転する複数のタービンバケット又はタービンロータブレード１２６と、作動中に静止したままの複数のノズル又はタービンステータブレード１２８とを含む。タービンステータブレード１２８は、全体的に、互いに円周方向に間隔を置いて配置され、回転軸の周りに固定される。タービンロータブレード１２６は、シャフトの周りを回転するようにタービンホイール１３０（図４に示す）上に取り付けることができる。タービン１１０の第２の段もまた図示されている。同様に第２の段は、複数の円周方向に間隔を置いて配置されたタービンステータブレード１２８と、それに続いて、回転のため同様にタービンホイール上に取り付けられる複数の円周方向に間隔を置いて配置されたタービンロータブレード１２６とを含む。第３の段もまた図示されており、同様に、複数の円周方向に間隔を置いて配置されたタービンステータブレード１２８と、タービンロータブレード１２６とを含む。タービンステータブレード１２８及びタービンロータブレード１２６は、タービン１１０の高温ガス経路内にあることは理解されるであろう。高温ガス経路を通る高温ガスの流れ方向が矢印で示してある。当業者には理解されるように、タービン１１０は、図３に示す段を上回る他の多くの段を有していてもよい。付加的な段の各々は、複数の円周方向に間隔を置いて配置されたタービンステータブレード１２８と、それに続いて複数の円周方向に間隔を置いて配置されたタービンロータブレード１２６とを含むことができる。
【００１６】
上述した特質のガスタービンエンジンは、以下のように作動することができる。軸流圧縮機１０６内の圧縮機ロータブレード１２０の回転により空気流が圧縮される。燃焼器１１２において、以下でより詳細に説明するように、圧縮空気を燃料と混合して点火する際にエネルギーが放出される。燃焼器１１２から高温ガスの流れは次いでタービンロータブレード１２６に向けて送られ、これによりタービンロータブレード１２６のシャフトの周りの回転を誘起し、高温ガス流のエネルギーを回転シャフトの機械エネルギーに変換することができる。シャフトの機械エネルギーは、圧縮機ロータブレード１２０の回転を駆動するのに利用することができ、必要な圧縮空気を供給し、更に、例えば発電機で電気を発生させる。
【００１７】
次に進む前に、本発明を明確に理解するために、タービンエンジン及び関連するシステムの特定の部品又は機械部品に言及し且つ説明する用語の選択が必要となる点は理解されるであろう。当業界の用語は、可能な限り、一般に受け入れられる意味と適合するように使用及び利用される。しかしながら、このことは、このようなあらゆる用語は広義の意味が与えられ、本明細書で意図する意味及び添付の請求項の範囲が不当に制限されるように狭義に解釈されるものではないものとする。当業者であれば、特定の部品が複数の異なる用語で呼ばれる場合が多いことは理解されるであろう。加えて、本明細書で単一の要素として説明できる事柄は、別の状況では複数の部品を含み、又は複数の部品からなるものとして言及することができ、或いは、本明細書で複数の部品を含むものとして説明できる事柄は、単一要素に構築され、場合によっては単一の要素として言及することができる。従って、本明細書で記載される本発明の範囲を理解する際に、提供される用語及び説明にのみ留意するのではなく、本明細書で記載される部品の構造、構成、機能、及び／又は使用に対しても留意すべきである。
【００１８】
加えて、複数の記述上の用語を本明細書で定常的に使用する場合があり、この点についてこれらの用語を定義することが有用とすることができる。本明細書で使用するこれらの用語及びその定義は、次の通りである。特に別途指定のない限り、「ロータブレード」という用語は、圧縮機又はタービンいずれかの動翼を意味する表現であり、この動翼には、圧縮機ロータブレード及びタービンロータブレードの両方が含まれる。特に別途指定のない限り、「ステータブレード」という用語は、圧縮機又はタービンいずれかの静翼を意味する表現であり、この静翼には、圧縮機ステータブレード及びタービンステータブレードの両方が含まれる。本明細書では、「ブレード」という用語は、何れかのタイプのブレードを意味するのに使用する。従って、特に別途指定のない限り、「ブレード」という用語は、圧縮機ロータブレード、圧縮機ステータブレード、タービンロータブレード及びタービンステータブレードを含む、全てのタイプのタービンエンジンブレードを包含する。更に、本明細書で使用する場合、「下流側」及び「上流側」とは、タービンを通る作動流体のような、流体の流れに対する方向を示す用語である。従って、「下流側」という用語は、一般的に作動流体の流れの方向に対応する方向を意味し、「上流側」という用語は一般的に、作動流体の流れの方向の反対方向を意味する。「前方」又は「リーディング（前）」及び「後方」又は「トレーリング（後）」という用語は一般的に、タービンエンジンの前方端及び後方端を基準とした相対位置を意味している（すなわち、圧縮機はエンジンの前方端にあり、タービンを有する端部は後方端である）。場合によっては、本明細書を考慮して明確になるように、「リーディング（前）」及び「トレーリング（後）」という用語は、回転部品の回転方向を意味することがある。これが当てはまる場合、回転部品の「リーディングエッジ（前縁）」は、回転の先頭にある縁部であり、「トレーリングエッジ（後縁）」は、後方の縁部である。
【００１９】
「半径方向」という用語は、軸線に対して垂直方向の移動又は位置を意味する。「半径方向」という用語は、軸線に関して異なる半径方向位置にある要素を記述するために必要となることが多い。このようなケースでは、第１の部品が第２の部品よりも軸線に対してより近接して存在する場合には、本明細書では、第１の部品が、第２の部品の「半径方向内向き」又は「内寄り」にあると記述することができる。これに対して、第１の部品が第２の部品よりも軸線から更に遠くに存在する場合には、本明細書では、第１の部品が、第２の部品の「半径方向外向き」又は「外側寄り」にあると記述することができる。「軸方向」という用語は、軸線に平行な移動又は位置を意味する。最後に、「円周方向」又は「角度位置」という用語は、軸線周りの移動又は位置を意味する。
【００２０】
図４及び図５を参照すると、本発明の例示的な実施形態が提供される。本発明の例示的な実施形態によれば、タービンロータブレード１２６は、絶縁皮膜１２９で被覆することができる。幾つかの実施形態では、絶縁皮膜１２９は、遮熱コーティングを含むことができる。詳細には、ジルコニア酸化物遮熱コーティングは、特定の好ましい環境において用いることができる。しかしながら、本発明は、このタイプの皮膜に限定されるものではない。タービン環境で用いるのに好適であり且つロータブレード１２６の下層構造として導電性が低いことが分かっているあらゆる皮膜を用いることができる。
【００２１】
タービン１１０の流路の外周は、図示のように、タービンケーシング又はケーシング１３２で囲むことができる。第１の電極１３４は、タービンロータブレードの列に電気的に接続することができる。例えば、接続は、ロータホイールなどの部品に従来のスリップリングを介して、又は軸受面などの静止部品に直接行うことができる。第２の電極１３５は、第１の電極１３４が取り付けられるタービンロータブレード１２６の列に近接して静止構造体上に配置することができる。第２の電極１３５は、少なくとも部分的には、高温ガス流路内に配置することができる。例示的な実施形態では、図示のように、第２の電極１３５は、ロータブレード１２６の直ぐ下流のケーシング１３２に取り付けられる。第２の電極１３５は、過酷な高温ガス流路に耐えることのできる材料から構成することができる。例えば、第２の電極１３５は、銅、銀、マンガン、ケイ素、又は他の好適な材料を含むことができる。第１の電極１３４及び第２の電極１３５は、図４に示すように、コントロールユニット１３６に接続することができる。コントロールユニット１３６は、２つの電極１３４、１３５の間に電圧を印加するように構成された電源を含むことができる。電源は、電圧源を有するあらゆる従来のシステムを含むことができる。コントロールユニット１３６は、２つの電極１３４、１３５間に電流が流れているか否か、及び／又は２つの電極１３４、１３５間に流れる電流のレベルを求めるための電流計又は同様の計測器を含むことができる。
【００２２】
正常作動中、コントロールユニット１３６は、２つの電極１３４、１３５間に流れる電流を全く又はほとんど観測することがない点は理解されるであろう。これは、ロータブレード１２６を覆って電気的に絶縁する絶縁皮膜１２９に起因する。しかしながら、ロータブレード１２６上いずれかの場所で亀裂が発生した場合には、絶縁皮膜１２９を徐々に傷つけ、最終的には皮膜に脆弱部を生じて、欠陥１３８が形成され、タービンロータブレード１２６の金属表面のパッチ又は一部が高温ガス流路の高温ガスに露出される可能性がある。高温ガスは導電性であり、これを通じて回路１４１を形成することができる点は当業者には理解されるであろう。従って、コントロールユニット１３６又は電流計は、２つの電極１３４、１３５間に電流が流れていること、及び電気回路１４１が形成されたことを検出する。例示的な実施形態では、回路１４１の検出により、システムは、欠陥１３８が存在する可能性があること及び／又は修正措置をとる必要がある旨の警告通知を提供するようにすることができる。システムの感度は、異なる電圧を用いて、又は警告通知が送出される前に満足すべき特定の所定電流閾値を要求することによって調整することができる。このような電流閾値は、特定のサイズの欠陥と一致するように構成することができる（すなわち、ロータブレードの導電性のより高い表面領域の特定量の曝露）点は理解されるであろう。
【００２３】
代替の実施形態では、正常作動中に２つの電極１３４、１３５間を流れる電流を観測することができ、該電流は欠陥が検出されるときに上昇する。これは、特定のタイプの保護絶縁皮膜が導電性である（或いは、少なくとも、他のタイプの皮膜よりも導電性がある）ことに起因することができる。従って、この場合、正常作動中に２つの電極１３４、１３５間でコントロールユニット１３６により観測されるあるレベルの電流が存在する点は理解されるであろう。しかしながら、タービンロータブレード１２６のより導電性の高い表面のパッチ又は一部が流路の高温ガスに露出される亀裂が生成されると、コントロールユニット１３６により、２つの電極１３４、１３５間に増大したレベルの電流が流れるのが観測される。この実施形態では、電流の増大が観測されることにより、欠陥１３８についての警告信号が提供される。前述と同様に、回路１４１を流れる電流の増大が検出されることで、システムは、欠陥１３８が存在する可能性があること及び／又は修正措置をとる必要がある旨の警告通知を提供するようにすることができる。システムの感度は、異なる電圧を用いて、又は警告通知が送出される前に満足すべき特定の電流閾値すなわち特定のレベルの電流変化を示す閾値を要求することによって調整することができる。
【００２４】
幾つかの実施形態では、流路の高温ガスの導電率は、燃料を導電性材料でドープすることによって、又は導電性媒体を加圧空気の流路内に噴射することによって有意に高めることができる。幾つかの実施形態では、これは、欠陥（すなわち、亀裂形成又は皮膜剥離）試験が実施される試験サイクル中に定期的に実施することができる。加えて、欠陥１３８のサイズは、印加電圧及び以前の欠陥サイズ並びに他の関連条件（すなわち、ドープ剤が存在するか否か、その他）が与えられると、形成された電気回路１４１を通る電流フローの大きさでシステムを較正することにより決定付けることができる。例えば、電流レベルが高いほどより大きな欠陥サイズを示す。また、閾値電流レベルを超えることのない低い電流レベルは、ロータブレードが実質的に欠陥のないことを示すことができる。
【００２５】
亀裂形成がない場合、電気絶縁皮膜の浸食又は剥離によっても、ロータブレード１２６の金属表面が流路の高温ガスに露出される欠陥１３８を生じる可能性がある。これはまた、２つの電極１３４、１３５間の電気回路の形成を生じさせ、コントロールユニット１３６による指示電流の検出をもたらすことができる。剥離は、ロータブレード１２６の絶縁皮膜の摩滅又は浸食によって引き起こされる可能性がある。この場合、システムは、修正措置を行うことなく、ロータブレード１２６に対しより大きな熱応力を引き起こす皮膜剥離を警告することによって、亀裂の形成（並びにロータブレードの酸化）を阻止することができる。
【００２６】
エンジンの作動中に亀裂形成及び皮膜剥離を監視することにより、定期的な目視検査の必要性を低減することができ、また、エンジン停止時間も短縮することができる点は理解されるであろう。加えて、エンジンの作動中に監視することにより、さもなければ次回に予定された検査までは気付かれなかったであろう重大な欠陥の形成を検出することができる。この場合、壊滅的な故障事象を回避することができる。
【００２７】
当業者であれば理解されるように、幾つかの例示的な実施形態に関して上述された多くの様々な特徴及び構成は、本発明の他の実施可能な実施形態を形成するｎ、各々の可能な繰り返しは本明細書で詳細には述べていないが、添付の複数の請求項によって包含される全ての組み合わせ及び可能な実施形態は、本出願の一部をなすものとする。加えて、本発明の複数の例示的な実施形態の上記の説明から、当業者であれば改善、変更、及び修正が理解されるであろう。当該技術分野の範囲内にあるこのような改善、変更、及び修正はまた、添付の請求項によって保護されるものとする。更に、上記のことは、本出願の好ましい実施形態にのみに関連しているが、添付の請求項及びその均等物によって定められる本出願の精神及び範囲から逸脱することなく、当業者によって多くの変更及び修正を本明細書において行うことができる点を理解されたい。
【符号の説明】
【００２８】
１１０  タービン
１２６  タービンロータブレード
１２８  タービンステータブレード
１３０  タービンホイール
１３２  ケーシング
１３４  第１の電極
１３５  第２の電極
１３６  コントロールユニット
１４１  回路